(57)【要約】【課題】換気扇の取付け作業が簡単で、短時間に取付けできると共に、取付ける際に破損することがない換気扇取付用ダクトとする。【解決手段】木枠４の内周面４ａに断熱性を有した不燃層５を有したダクト３で、そのダクト３を壁１の取付孔２内に挿入して取付けた後に換気扇１０の本体枠１１をダクト３内に挿入して取付けることで換気扇１０を壁１に取付けできるから、その取付作業が簡単で、短時間に取付けできると共に、不燃層５は木枠４で保護されて取付ける際に破損することがない。【選択図】図１
2010091224.tif 000002
【特許請求の範囲】
【請求項１】
木枠４と、この木枠４の内周面４ａに設けた断熱性を有した不燃層５を備え、この木枠４を壁１の取付孔２内に挿入して取付けるようにしたことを特徴とする換気扇取付用ダクト。
【請求項２】
板材４ｄの一面に、断熱性を有した不燃材の板５ａを固着し、この４つの板材４ｄを方形状に連結して木枠４とすると共に、４つの板５ａが周方向に連続して断熱性を有した不燃層５とした請求項１記載の換気扇取付用ダクト。
【請求項３】
前記不燃層５の屋外側にウエザーカバー取付金具２０の枠部２４を挿入し、この枠部２４の上面板２１、左右の縦面板２２、下面板２３を木枠４の４つの板材４ｄに固着具で、それぞれ固着して取付けた請求項２記載の換気扇取付用ダクト。
【請求項４】
壁１の取付孔２内に、木枠４の内周面４ａに断熱性を有した不燃層５を設け、かつ該不燃層５の屋外側にウエザーカバー取付金具２０を取付けたダクト３を挿入して取付け、
前記不燃層５の屋内側に、本体枠１１を挿入して取付けることで換気扇１０を壁１に取付け、
前記ウエザーカバー取付金具２０にウエザーカバー３０を取付けたことを特徴とする換気扇取付装置。
【請求項５】
前記換気扇１０の本体枠１１とウエザーカバー取付金具２０が接触しないようにした請求項４記載の換気扇取付装置。
【発明の詳細な説明】
【技術分野】
【０００１】
本発明は、建築物の壁に換気扇を取付けるための換気扇取付用ダクト及び、そのダクトを用いて換気扇を建築物の壁に取付けた換気扇取付装置に関する。
【背景技術】
【０００２】
従来、調理時に発生する油煙等を屋外に排出させるための１つの手段として、調理器の上部の壁に取付用孔を形成し、その取付用孔に換気扇を取付けて排気することが知られている。
前述のように、壁に換気扇を取付ける場合には、換気扇を壁に対して電気的に絶縁すること、火災発生時に屋内側、屋外側からの火炎により燃焼しないようにすることが重要である。
そこで、従来は、例えば特許文献１に開示したように、壁に、木材を取付けて取付孔とし、この取付孔に電気的な絶縁枠を介して換気扇を取付け、その絶縁枠を不燃材によって作成することで、火災発生時に絶縁枠が屋内側、屋外側からの火炎により燃焼することがないようにし、換気扇を壁に対して電気的に絶縁している。
【０００３】
【特許文献１】実開昭６１−１１６９３１号公報
【発明の開示】
【発明が解決しようとする課題】
【０００４】
前述した従来の換気扇の取付けでは、壁に木枠を組み込んで取付孔を形成し、この取付孔に、不燃材より成る絶縁枠を挿入して取付け、その後に換気扇を取付けるので、木枠の組み込み作業、絶縁枠の挿入作業が必要であるから、換気扇の取付け作業が面倒で時間がかかってしまう。
また、不燃材より成る絶縁枠は、他の部材と干渉したときに損傷し易いので、その絶縁枠を木枠に挿入する再に、木枠に干渉して絶縁枠を損傷することがある。
【０００５】
本発明の目的は、換気扇を壁に対して電気的に絶縁できるし、火災発生時に燃焼しないようにして換気扉を壁に取付けできると共に、その換気扇の取付け作業が簡単で、短時間に取付けでき、しかも取付ける際に破損することがないようにした換気扇取付用ダクト及び換気扇取付装置とすることである。
【課題を解決するための手段】
【０００６】
本発明のダクトは、木枠４と、この木枠４の内周面４ａに設けた断熱性を有した不燃層５を備え、この木枠４を壁１の取付孔２内に挿入して取付けるようにしたことを特徴とする換気扇取付用ダクトである。
【０００７】
本発明のダクトにおいては、板材４ｄの一面に、断熱性を有した不燃材の板５ａを固着し、この４つの板材４ｄを方形状に連結して木枠４とすると共に、４つの板５ａが周方向に連続して断熱性を有した不燃層５とすることができる。
【０００８】
このようにすれば、断熱性を有した不燃材の板５ａを固着した４つの板材４ｄを連結することで、ダクト３を組み立てできる。
【０００９】
本発明のダクトにおいては、前記不燃層５の屋外側にウエザーカバー取付金具２０の枠部２４を挿入し、この枠部２４の上面板２１、左右の縦面板２２、下面板２３を木枠４の４つの板材４ｄに固着具で、それぞれ固着して取付けることができる。
【００１０】
このようにすれば、ウエザーカバー取付金具２０の上面板２１、左右の縦面板２２、下面板２３と木枠４の各板材４ｄが固着具で固着されているので、木枠４の各板材４ｄを連結しなくとも良く、ダクト３の組み立てが容易である。
【００１１】
本発明の換気扇取付装置は、壁１の取付孔２内に、木枠４の内周面４ａに断熱性を有した不燃層５を設け、かつ該不燃層５の屋外側にウエザーカバー取付金具２０を取付けたダクト３を挿入して取付け、
前記不燃層５の屋内側に、本体枠１１を挿入して取付けることで換気扇１０を壁１に取付け、
前記ウエザーカバー取付金具２０にウエザーカバー３０を取付けたことを特徴とする換気扇取付装置である。
【００１２】
本発明の換気扇取付装置においては、換気扇１０の本体枠１１とウエザーカバー取付金具２０が接触しないようにできる。
【００１３】
このようにすれば、換気扇１０とウエザーカバー取付金具２０を電気的に絶縁できる。
【発明の効果】
【００１４】
本発明のダクト３、そのダクト３を用いた換気扇取付装置によれば、木枠４によって換気扇１０を壁１に対して電気的に絶縁でき、不燃層５によって火災発生時に延焼しないように換気扇１０を壁１に取付けできる。
また、不燃層５は断熱性を有しているから、この不燃層５によって木枠４に熱が伝わらないので、長期間の使用で木枠４が燃焼することがない。
また、ダクト３を取付孔２内に挿入して取付け、そのダクト３内に換気扇１０の本体枠を挿入して取付けることで換気扇１０を壁１に取付けできるから、換気扇１０の取付作業が簡単で、短時間に取付けできる。
しかも、不燃層５は木枠４で保護されているから、ダクト３を取付孔２内に挿入する際に不燃層５が破損することがない。
【発明を実施するための最良の形態】
【００１５】
図１に示すように、壁１の取付孔２に、換気扇取付用ダクト（以下単にダクトという）３が取付けてある。
換気扇１０は図１、図２に示すように、本体枠１１内にモータ１２を取付け、そのモータ１２でファン１３を回転するようにしてある。
前記本体枠１１が前述のダクト３内に挿入して換気扇１０が壁１に取付けられる。
前記ダクト３は図１、図２に示すように、木枠４と、その木枠４の内周面４ａに設けた断熱性を有した不燃層５を備え、その木枠４の外周面４ｂを壁１の取付孔２に接するように取付ける。
【００１６】
このようであるから、木枠４で壁１と換気扇１０が電気的に絶縁できる。
また、不燃層５を設けたことで、火災発生時に屋内側、屋外側からの火炎で燃焼したり、調理器の熱で燃焼することがない。
また、不燃層５は断熱性を有しているから、この不燃層５によって木枠４に熱が伝わらないので、長期間の使用で木枠４が燃焼することがない。
また、ダクト３を壁１の取付孔２に挿入して取付け、そのダクト３内に換気扇１０の本体枠１１を挿入して取付けることで換気扇１０を壁１に取付けでき、その換気扇１０の取付け作業が簡単で、短時間に取付けできる。
また、不燃層５は木枠４で保護され、取付孔２に挿入するときに他の部材と干渉することがないので、取付ける際に不燃層５が破損することがない。
【００１７】
この実施の形態においては、前記ダクト３（木枠４、不燃層５）の屋内側端面３ａに不燃部材６が接着等で取り付けてある。
前記換気扇１０の本体枠１１は大径部１１ａと小径部１１ｂで段差部１１ｃを有した段付き筒形状で、その小径部１１ｂがダクト３の不燃層５内に挿入し、小径部１１ｂの下面が不燃層５の下内面に接して小径部１１ｂの上面と不燃層５の上内面が離隔していると共に、段差部１１ｃが電気絶縁部材７を介して前記不燃部材６に当接している。
そして、小径部１１ｂの上内面に取付用ねじ、例えば蝶ねじ１４を螺合し、その蝶ねじ１４を不燃層５の上内面に押しつけて本体枠１１をダクト３に取付けている。
前記電気絶縁部材７、不燃部材６はダクト３の断面と同一形状で、この実施の形態では、矩形状である。
【００１８】
この実施の形態では、ダクト３の内周面における換気扇１０と反対側（つまり、屋外側）にはウエザーカバー取付金具２０が取付けてある。
前記ウエザーカバー取付金具２０は、上面板２１と左右の縦面板２２と下面板２３で矩形の枠部２４と、その枠部２４に一体に設けた取付フランジ部２５を備え、金属板を加工して製作される。
前記取付フランジ部２５は、各板２１，２２，２３と連続した取付受片２６と、各取付受片２６と連続した横向片２７で断面鉤形状で、かつ四周連続している。
前記取付受片２６は各板２１，２２，２３と直角で外方に向いていると共に、前記横向片２７は屋内側に向いている。
【００１９】
前記ウエザーカバー取付金具２０は、その枠部２４を屋外側からダクト３内の挿入し、各横向片２７を木枠４の屋外側端面４ｃと離隔した状態で上面板２１、縦面板２２、下面板２３を固着具、例えばねじ２８でダクト３（木枠４）に固着して取付ける。
前記上面板２１は、縦面板２２、下面板２３よりも長く、その上面板２１は換気扇１０の本体枠１１（小径部１１ｂ）よりも屋内側に突出して両者は屋外外方向に重なり合うが、縦面板２２、下面板２３は前記本体枠１１よりも屋外側に位置して屋内外方向に重なり合うことがない。
【００２０】
これにより、上面板２１がダクト３の内周面（不燃層５の上内面）に接する面積が大きく、その接触部分でウエザーカバー取付金具２０に作用する下向き力を支持する。
また、換気扇１０の本体枠１１（小径部１１ｂ）がウエザーカバー取付金具２０の上面板２１、側面板２２、下面板２３に接することがなく、換気扇１０とウエザーカバー取付金具２０は電気的に絶縁している。
【００２１】
前記ウエザーカバー３０は、カバー体３１の入口側周縁部に沿って取付片３２を備え、この取付片３２をウエザーカバー取付金具２０の取付フランジ部２５の取付受片２６に接し、固着具、例えばねじ３３で固着して取付ける。
前記横向片２７が木枠４の屋外側端面４ｃに当接して前記取付受片２６が木枠４の屋外側端面４ｃと離隔しているので、前述のねじ３３が木枠４に螺合しないようにできる。
【００２２】
このようであるから、木枠４の厚さを薄くしてダクト３の厚さ（木枠４の厚さ＋不燃層５の厚さ）を所定の厚さとすることができる。例えば、木枠４のみのダクトと同一の厚さとして、同じ大きさの取付孔２に木枠４のみのダクト、本発明のダクト３を取付けできて互換性を有するダクトにできる。
つまり、不燃性能を確保するには不燃層５を厚く（９ｍｍ以上）する必要があり、木枠４の厚さをねじ３３を螺合できる厚さとすると、ダクト３の厚さが所定の厚さ以上となって、木枠４のみのダクトを取付ける取付孔には取付けできないので、前述のように、ねじ３３を木枠４に螺合しないようにして木枠４の厚さを薄くした。
【００２３】
次に、前記ダクト３を詳細に説明する。
前記木枠４は図３に示すように、所定の幅と厚さを有した４つの板材４ｄを供え、その各板材４ｄの一面における長手方向一端部分を残して断熱性を有した不燃材の板５ａを接着などして取付け、その各板材４ｄを方形状に連結することで、内周面に板５ａを四周連続して有したダクト３とする。前述の断熱性とは熱を伝えないことである。
前記各板材４ｄは、隣接した一方の板材４ｄの端面、板５ａの端面を、他方の板材４ｄの板５ａの無い部分に接着などして固着して連結してある。
【００２４】
このようであるから、ダクト３を簡単に組み立てできる。
なお、板材４ｄを方形状に連結して木枠４とし、その後に木枠４の内周面４ｃに板５ａを固着してダクト３としても良い。
【００２５】
前記断熱性を有した不燃材としては、けい酸カルシウム板、せっこうボード、ロックウール、グラスウォール、けい酸カルシウムの基材に粘土鉱物であるバーミキュライトを加えたモイス（ＭＯＩＳＳ）と呼ばれる素材などが望ましい。
【００２６】
また、前述のようにウエザーカバー取付金具２０の上面板２１、左右の縦面板２２、下面板２３（つまり、枠部２４）と木枠４の各板材４ｄを固着具、例えばねじ２８で固着するようにした場合には、板材４ｄ相互を固着しなくとも良い。
したがって、ウエザーカバー取付金具２０を備えたダクト３を簡単に組み立てできる。
【００２７】
前記４つの板材４ｄにおける左右の縦の板材４ｄには小径穴４ｅが形成され、この板材４ｄに固着した断熱性を有した不燃材の板５ａには大径穴５ｂが前記小径穴４ｅと同心状に形成してある。
前記ダクト３は取付孔２内に挿入し、前記大径穴５ｂ、小径穴４ｅから固着具、例えばねじ１６を取付孔２の内面に固着し、そのねじ１６の頭部を大径穴５ｂ内に挿入して木枠４の内面（板材４ｄ）に押しつけて固着する。
このようにすることで、板５ａがねじ１６の締付力で破損することがない。
【００２８】
前記電気絶縁部材７は絶縁材料より成る４つの帯板７ａを方形状としたものである。
前記不燃部材６は、けい酸カルシウム板などの断熱性を有した不燃材より成る４つの帯板６ａを、ダクト３の屋内側端面３ａに接着して取付けてある。
【図面の簡単な説明】
【００２９】
【図１】本発明の実施の形態を示す換気扇を取付けた状態の断面図である。
【図２】ダクト、ウエザーカバー取付金具、ウエザーカバー、換気扇の斜視図である。
【図３】ダクトの分解斜視図である。
【符号の説明】
【００３０】
１…壁、２…取付孔、３…ダクト、４…木枠、４ａ…内周面、４ｂ…外周面、４ｄ…板材、５…不燃層、１０…換気扇、１１…本体枠、１２…モータ、１３…ファン、２０…ウエザーカバー取付金具、２１…上面板、２２…縦面板、２３…下面板、２４…枠部、２５…取付フランジ部、２６…取付受片、２７…横向片、２８…ねじ（固着具）、３０…ウエザーカバー、３１…本体、３２…取付片、３３…ねじ（固着具）。
【図１】
2010091224.tif 000003
【図２】
2010091224.tif 000004
【図３】
2010091224.tif 000005